【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
垂直に向いたボディメーカ用ツールパック（１６）であって、
通路（３２０）を規定しており、内面（３２２）、上壁（３０２）、下壁（３０４）、第１側壁（３０６）、第２側壁（３０８）、後壁（３１０）、及びドア（３１２）を含んでいるツールパックハウジングアセンブリ（３００）であって、ツールパックハウジングアセンブリの通路（３２０）は略垂直に延びている、ツールパックハウジングアセンブリ（３００）と、
各ダイスペーサ（４００）がダイ（４５０）を支持し、中央通路（４５４）を規定している、幾つかのダイスペーサ（４００）と、
各ダイ（４５０）が中央通路（４５４）を規定する本体（４５２）を含んでいる、幾つかのダイ（４５０）と、
ツールパックハウジングアセンブリの下壁（３０４）に配置されており、幾つかのダイスペーサ（４００）を軸方向に付勢するように構成されている圧縮デバイス（４７０）と、
を備えており、
幾つかのダイスペーサ(４００)と幾つかのダイ（４５０）とは、ツールパックハウジングアセンブリ（３００）に配置されており、
幾つかのダイスペーサ(４００)と幾つかのダイ（４５０）とは、上向きに付勢されている、ボディメーカ用ツールパック（１６）。
【請求項２】
各ダイ（４５０）は、ダイスペーサ（４００）上に配置されている、請求項１に記載のボディメーカ用ツールパック（１６）。
【請求項３】
圧縮デバイス（４７０）は、持上げピストン（４７２）を含んでいる、請求項１に記載のボディメーカ用ツールパック（１６）。
【請求項４】
持上げピストン（４７２）は、トーラス形状の本体（４７４）を有する、請求項２に記載のボディメーカ用ツールパック（１６）。
【請求項５】
ツールパックハウジングアセンブリの内面（３２２）は、幾つかの対の水平スロット（３８０）を規定しており、
水平スロット（３８０）の各対は、ツールパックハウジングアセンブリの第１側壁（３０６）とツールパックハウジングアセンブリの第２側壁（３０８）とにある対向したスロット（３０８’）を含んでおり、
各スロット（３８０）は、ダイスペーサ（４００）の高さにゆるく対応する大きさにされており、
幾つかのダイスペーサ（４００）は、水平スロット（３８０）の幾つかの対に配置される、請求項１に記載のボディメーカ用ツールパック（１６）。
【請求項６】
各ダイスペーサ（４００）は、高さを有しており、
各ダイスペーサ（４００）は、水平スロット（３８０）の特定の対と関連しており、
水平スロット（３８０）の特定の対の各スロット（３８０）は、約０．０４０インチ乃至約０．０５０インチの高さだけ、水平スロット（３８０）の特定の対と関連しているダイスペーサ（４００）よりも大きい、請求項５に記載のボディメーカ用ツールパック（１６）。
【請求項７】
ツールパックハウジングアセンブリの第１側壁（３０６）と、ツールパックハウジングアセンブリの第２側壁（３０８）とは、前面（３３０、３３２）を含んでおり、
ドア（３１２）は、内面（３５０）を含んでおり、
ドア（３１２）は、ドア（３１２）によって、ツールパックハウジングアセンブリの通路（３２０）へのアクセスがもたされる、開いた第１位置と、ドアの内面（３２２）が、第１側壁の前面（３３０）と、ツールパックハウジングアセンブリの第２側壁の前面（３３２）とに直接隣接して配置される、閉じた第２位置との間を移動するように構成されており、
ドアの内面（３２２）は、幾つかの弾性バンパ（３５２）を含んでおり、各バンパ（３５２）は、幾つかのダイ（４５０）の１つと揃えられ、各バンパ（３５２）は、ドア（３１２）が第２位置にある場合に、各バンパ（３５２）が幾つかのダイ（４５０）の１つと接触するような厚さを有しており、
ドア（３１２）が第２位置にある場合、各バンパ（３５２）は、幾つかのダイ（４５０）の少なくとも１つと接触して、そのダイ（４５０）をツールパックハウジングアセンブリの後壁（３１０）に向けて付勢する、請求項１に記載のボディメーカ用ツールパック（１６）。
【請求項８】
各ダイの本体（４５２）は、略円環状の外面（４５６）を含んでおり、
各バンパ（３５２）は、遠位端（３５６）を含んでおり、
各バンパの遠位端（３５６）は、凹状であり、ダイの本体の外面（４５６）に対応した曲率を有している、請求項７に記載のボディメーカ用ツールパック（１６）。
【請求項９】
ドア（３１２）は、ラッチアセンブリを含んでおり、
ラッチアセンブリ（３４０）は、ラッチベース(３４２)及びラッチハンドル（３４４）を含んでおり、
ラッチハンドル（３４４）は、第１側壁（３０６）に結合されており、ラッチハンドル（３４４）は、カム部材（３４６）を含んでおり、ラッチハンドル（３４４）は、ラッチハンドル（３４４）がラッチベース（３４２）と係合しない、開いた第１位置と、ラッチハンドルのカム部材（３４６）がラッチベース（３４２）と係合する、閉じた第２位置との間で移動するように構成されている、請求項７に記載のボディメーカ用ツールパック（１６）。
【請求項１０】
ツールパックハウジングアセンブリの上壁（３０２）は、ストリッパバルクヘッド（３６０）を含んでおり、
ツールパックハウジングアセンブリ（３００）は、再絞りダイ（２７１）用の水平なセンタリングキャビティ（３７２）を有するカップ供給バルクヘッド（３７０）を含んでいる、請求項１に記載のボディメーカ用ツールパック（１６）。
【請求項１１】
ツールパックハウジングアセンブリ（３００）及びダイスペーサ（４００）は、冷却システム（４８０）を含んでおり、冷却システム（４８０）は、入口（４８２）、分配流路（４８４）、幾つかのダイスペーサマニホールド（４８６）、幾つかのスプレー出口（４８８）、幾つかの回収流路（４９０）、ドレーン流路（４９２）、及びトラフ（４９４）を含んでおり、
入口（４８２）は、ツールパックハウジングアセンブリ（３００）に配置されており、  入口（４８２）は、冷却剤源（４８０）と結合されて、流体連通しており、
分配流路（４８４）は、ツールパックハウジングアセンブリ（３００）に配置されており、分配流路（４８４）は、入口（４８２）と結合されて、流体連通しており、
各ダイスペーサ（４００）は、ダイスペーサマニホールド（４８６）を含んでおり、各ダイスペーサマニホールド（４８６）は、分配流路（４８４）と結合されて、流体連通しており、
各ダイスペーサ（４００）は、幾つかのスプレー出口（４８８）を含んでおり、各スプレー出口（４８８）は、ダイスペーサマニホールド（４８６）と結合されて、流体連通しており、
各スプレー出口（４８８）は、ダイスペーサの通路（４０８）へと流体をスプレーするように構成されており、
各回収流路（４９０）は、ツールパックハウジングアセンブリの通路（３２０）の流体を回収するように構成されており、
各回収流路（４９０）は、ドレーン流路（４９２）と結合されて、流体連通しており、
ドレーン流路（４９２）は、トラフ（４９４）と結合されて、流体連通している、請求項１に記載のボディメーカ用ツールパック（１６）。
【請求項１２】
各スプレー出口（４８８）は、ダイスペーサの通路（４０８）へと上向きの角度で冷却剤をスプレーするように構成されている、請求項１１に記載のボディメーカ用ツールパック（１６）。
【請求項１３】
幾つかのダイスペーサ（４００）は回収リザーバ（４９８）を含んでおり、回収リザーバ（４９８）は、ダイスペーサの中央通路（４０８）の周囲に延びている、請求項１０に記載のボディメーカ用ツールパック（１６）。
【請求項１４】
各ダイスペーサ（４００）は、上面（４２０）を含んでおり、
各ダイスペーサの上面（４２０）は、水平なセンタリングキャビティ（４２２）を含んでいる、請求項１に記載のボディメーカ用ツールパック（１６）。
【請求項１５】
幾つかのダイ（４５０）は、第１の内径を有するダイの第１セット（４４０）と、第２の内径を有するダイの第２セット（４４２）とを含んでおり、
ダイの第１セット（４４０）又はダイの第２セット（４４２）は、ツールパックハウジングアセンブリ（３００）内に配置されている、請求項１に記載のボディメーカ用ツールパック（１６）。